(57)【要約】【課題】コネクタ及びそれを備えたハードディスクドライブを提供すること。【解決手段】絶縁性素材で形成されたブラケット１７１、ブラケット１７１上に互いに離隔されて配列され、導電性素材で形成されたコネクティングピン１７４、及びコネクティングピン１７４が配列された方向に沿って延び、導電性素材で形成された共通接続部１７５を備え、コネクティングピン１７４は、外力が加えられる前には、共通接続部１７５に共に接触されて互いにショートされ、外力が加えられたときには、それぞれ弾性変形されて共通接続部１７５から離隔されるように構成されるコネクタ１７０である。【選択図】図５
2007012614.tif 000002
【特許請求の範囲】
【請求項１】
絶縁性素材で形成されたブラケットと；
前記ブラケット内で互いに離隔されて配列され、導電性素材で形成されたコネクティングピンと；
前記コネクティングピンが配列された方向に沿って延び、導電性素材で形成された共通接続部と；
を備え、
前記コネクティングピンは、外力が加えられていない状態では、前記共通接続部に共に接触されて互いにショートされ、外力が加えられることによりそれぞれ弾性変形されて前記共通接続部から離隔されることを特徴とする、コネクタ。
【請求項２】
前記コネクティングピンは、外力が加えられる部位であってフック状に形成されるフック部を備え、前記フック部は、外力が加えられていない状態では、先端が前記共通接続部の側部に接触され、外力が加えられることにより先端が前記共通接続部から離隔されることを特徴とする、請求項１に記載のコネクタ。
【請求項３】
前記フック部は、前記ブラケットから所定の高さに突出形成されることを特徴とする、請求項２に記載のコネクタ。
【請求項４】
前記フック部の先端は、湾曲した形状に形成されることを特徴とする、請求項３に記載のコネクタ。
【請求項５】
前記ブラケットは、前記共通接続部に対応して配置されるブロック部を備えることを特徴とする、請求項２〜４に記載のコネクタ。
【請求項６】
前記コネクティングピンは、第１列及び第２列の２つの列を形成するように並んで配列され、前記ブロック部は、前記第１列と前記第２列との間に配置されることを特徴とする、請求項５に記載のコネクタ。
【請求項７】
前記共通接続部及び前記ブロック部のうちいずれか一方には突起が形成され、他方には、前記突起を挟み込むように溝が形成されることを特徴とする、請求項６に記載のコネクタ。
【請求項８】
前記共通接続部の幅と前記ブロック部の幅とは実質的に同一であって、前記コネクティングピンに外力が加えられて弾性変形されたときに、前記コネクティングピンの先端が前記共通接続部の側部及びブロック部の側部に沿ってスライドして移動可能なように形成されることを特徴とする、請求項６または７のいずれかに記載のコネクタ。
【請求項９】
前記ブラケットには、前記第１列をなすコネクティングピンのそれぞれの間及び前記第２列をなすコネクティングピンのそれぞれの間に配置されるように隔壁が形成されることを特徴とする、請求項６〜８のいずれかに記載のコネクタ。
【請求項１０】
ベース部材と；
前記ベース部材上に回転可能に装着されたディスクと；
前記ベース部材上に回動自在に装着され、前記ディスクにデータを記録し、または前記ディスクからデータを再生するヘッドスタックアセンブリと；
前記ヘッドスタックアセンブリに設けられたコイルとの相互作用により、前記ヘッドスタックアセンブリに回動力を提供するボイスコイルモータと；
前記ヘッドスタックアセンブリとそれを制御するメイン回路基板との間を接続させるものであって、請求項１〜９のうちいずれか一項に記載のコネクタと；
を備えることを特徴とするハードディスクドライブ。
【請求項１１】
前記ヘッドスタックアセンブリと前記コネクタとの間は、フレキシブルプリントケーブルにより接続されることを特徴とする、請求項１０に記載のハードディスクドライブ。
【請求項１２】
互いに離隔されて配列されたコネクティングピンと；
前記コネクティングピンに外力が加えられていないときに前記コネクティングピンに接触して電気的にショートさせるコネクティング部材と；
を備え、
前記コネクティングピンは、外力が加えられることにより前記電気的にショートされた状態が解除されることを特徴とする、コネクタ。
【請求項１３】
前記コネクティング部材は、導電性素材からなることを特徴とする、請求項１２に記載のコネクタ。
【請求項１４】
前記コネクティングピンが設けられたブラケットをさらに備え、前記ブラケットは、絶縁性素材からなることを特徴とする、請求項１２または１３のいずれかに記載のコネクタ。
【請求項１５】
前記ブラケットは、前記コネクティング部材を支持するブロック部を備えることを特徴とする、請求項１４に記載のコネクタ。
【請求項１６】
前記ブロック部と前記コネクティング部材とを結合するために、前記ブロック部は、少なくとも一つの突起を備え、前記コネクティング部材は、前記突起を挟み込むように形成された少なくとも一つの溝を備えることを特徴とする、請求項１５に記載のコネクタ。
【請求項１７】
前記コネクティング部材と前記ブロック部とを結合するために、前記コネクティング部材は、少なくとも一つの突起を備え、前記ブロック部は、前記突起を挟み込むように形成された少なくとも一つの溝を備えることを特徴とする、請求項１５に記載のコネクタ。
【請求項１８】
前記コネクティングピンは、外力が加えられることにより変形され、前記コネクティング部材と接触しなくなることを特徴とする、請求項１２〜１７のいずれかに記載のコネクタ。
【請求項１９】
前記コネクティングピンは、前記コネクティング部材から離隔されるように弾性的に変形されることを特徴とする、請求項１８に記載のコネクタ。
【請求項２０】
前記外力は、前記コネクタに接続されるメイン回路基板により加えられることを特徴とする、請求項１８または１９のいずれかに記載のコネクタ。
【発明の詳細な説明】
【技術分野】
【０００１】
本発明は、ハードディスクドライブに係り、特にフレキシブルプリントケーブルとメイン回路基板との間を接続させるコネクタ及びこれを備えたハードディスクドライブに関する。
【背景技術】
【０００２】
ハードディスクドライブは、コンピュータなどに使われる補助記憶装置の一例であって、磁気ヘッドによりディスクに保存されたデータを再生するか、またはディスクに新たなデータを記録する装置である。磁気ヘッドは、スライダに搭載され、作動中には、ディスクから浮き上がってディスクに保存されたデータを読み込んで再生するか、または前記ディスクに新たなデータを記録する機能を行う。磁気ヘッドが読み込んだディスク上のデータは、電気信号に変換されて、磁気ヘッドと接続されたフレキシブルプリントケーブルとを経てメイン回路基板に伝達される。また、ディスク上に記録されるデータに対応する電気的信号は、これと逆に、メイン回路基板からフレキシブルプリントケーブルを経て磁気ヘッドに伝達される。かかるフレキシブルプリントケーブルとメイン回路基板との間は、コネクタを媒介として接続される。
【０００３】
図１は、従来のハードディスクドライブに設けられたコネクタの一例を示す図面である。
【０００４】
コネクタ１０は、ブラケット１１、及びブラケット１１内に設置された複数のコネクティングピン１２を備える。ブラケット１１は、絶縁性素材で形成され、コネクティングピン１２は、導電性素材で形成される。コネクティングピン１２は、２列に配列され、相互に接触しないように離隔される。コネクティングピン１２の一端部は、ブラケット１１から所定の高さにそれぞれ突出するように位置し、このように位置した一端部は、メイン回路基板に設けられた端子と一対一対応して接続される。そして、コネクティングピン１２の他端部は、メイン回路基板の反対側に位置してフレキシブルプリントケーブルと接続される。
【０００５】
上記のように構成されたコネクタ１０は、そのコネクティングピン１２がメイン回路基板と接続される前には外部に露出されているため、露出された部位から電流などが流入して、フレキシブルプリントケーブルを経て磁気ヘッドが損傷されることがある。これを防止するために、従来のコネクタによれば、コネクティングピン１２の間をショートさせるために、ショート用ブロック１がコネクタ１０に設置される。
【０００６】
ショート用ブロック１は、導電性素材であって、図２に示したように、コネクティングピン１２の間に挟まれてコネクティングピン１２とそれぞれ接触されるようにリブ状に形成される。かかるショート用ブロック１は、コネクティングピン１２をいずれも電気的に連結させることによって、コネクティングピン１２の間をショートさせる。このようにコネクタ１０に設置されたショート用ブロック１は、コネクタ１０がメイン回路基板と接続される前、あるいはメイン回路基板と接続される前に行われるサーボトラックライト作業を行うために、コネクタ１０から除去される。ここで、サーボトラックライト作業とは、ハードディスクドライブに情報を記録、またはハードディスクドライブから情報を再生するために、ディスク上にサーボ信号をあらかじめ記録しておく作業である。
【０００７】
【特許文献１】特開平７−２０１４２１号公報
【発明の開示】
【発明が解決しようとする課題】
【０００８】
しかし、上述したように、ショート用ブロックをコネクタから除去するためには、追加工程が必要となる。また、作業者がショート用ブロックをまだ除去していない状態でサーボトラックライト作業を行った場合、作業エラーが発生するおそれがある。さらに、コネクタからショート用ブロックを除去する過程で、コネクティングピンが反るおそれがあるため、これによってコネクタとメイン回路基板との接続不良が生じるという問題が起こる可能性がある。
【０００９】
そこで、本発明は、上記問題に鑑みてなされたものであり、本発明の目的とするところは、コネクティングピンの間をショートさせるためのショート用ブロックを設置する必要がなく、これによって作業工程数を削減し、コネクティングピンとメイン回路基板との接続不良を防止することが可能な、新規かつ改良されたハードディスクドライブを提供することにある。
【課題を解決するための手段】
【００１０】
上記課題を解決するために、本発明のある観点によれば、絶縁性素材で形成されたブラケットと；ブラケット内で互いに離隔されて配列され、導電性素材で形成されたコネクティングピンと；コネクティングピンが配列された方向に沿って延び、導電性素材で形成された共通接続部と；を備え、コネクティングピンは、外力が加えられていない状態では、共通接続部に共に接触されて互いにショートされ、外力が加えられることによりそれぞれ弾性変形されて共通接続部から離隔されることを特徴とする、コネクタが提供される。
【００１１】
また、コネクティングピンは、外力が加えられる部位であってフック状に形成されるフック部を備え、フック部は、外力が加えられていない状態では、先端が共通接続部の側部に接触され、外力が加えられることにより先端が共通接続部から離隔されるようにしてもよい。
【００１２】
また、フック部は、ブラケットから所定の高さに突出形成されるようにしてもよい。
【００１３】
また、フック部の先端は、湾曲した形状に形成されてもよい。
【００１４】
また、ブラケットは、共通接続部に対応して配置されるブロック部を備えてもよい。
【００１５】
また、コネクティングピンは、第１列及び第２列の２つの列を形成するように並んで配列され、ブロック部は、第１列と第２列との間に配置されるようにしてもよい。
【００１６】
また、共通接続部及びブロック部のうちいずれか一方には突起が形成され、他方には、突起を挟み込むように溝が形成されてもよい。
【００１７】
また、共通接続部の幅とブロック部の幅とは実質的に同一であって、コネクティングピンに外力が加えられて弾性変形されたときに、コネクティングピンの先端が共通接続部の側部及びブロック部の側部に沿ってスライドして移動可能なように形成されるようにしてもよい。
【００１８】
また、ブラケットには、第１列をなすコネクティングピンのそれぞれの間及び第２列をなすコネクティングピンのそれぞれの間に配置されるように隔壁が形成されてもよい。
【００１９】
また、上記課題を解決するために、本発明の別の観点によれば、ベース部材と；ベース部材上に回転可能に装着されたディスクと；ベース部材上に回動自在に装着され、ディスクにデータを記録し、またはディスクからデータを再生するヘッドスタックアセンブリと；ヘッドスタックアセンブリに設けられたコイルとの相互作用により、ヘッドスタックアセンブリに回動力を提供するボイスコイルモータと；ヘッドスタックアセンブリとそれを制御するメイン回路基板との間を接続させるコネクタと；を備えることを特徴とするハードディスクドライブが提供される。
【００２０】
また、ヘッドスタックアセンブリとコネクタとの間は、フレキシブルプリントケーブルにより接続されるようにしてもよい。
【００２１】
また、上記課題を解決するために、本発明の別の観点によれば、互いに離隔されて配列されたコネクティングピンと；コネクティングピンに外力が加えられていないときにコネクティングピンに接触して電気的にショートさせるコネクティング部材と；を備え、コネクティングピンは、外力が加えられることにより電気的にショートされた状態が解除されることを特徴とする、コネクタが提供される。
【００２２】
また、コネクティング部材は、導電性素材からなるようにしてもよい。
【００２３】
また、コネクティングピンが設けられたブラケットをさらに備え、ブラケットは、絶縁性素材からなるようにしてもよい。
【００２４】
また、ブラケットは、コネクティング部材を支持するブロック部を備えるようにしてもよい。
【００２５】
また、ブロック部とコネクティング部材とを結合するために、ブロック部は、少なくとも一つの突起を備え、コネクティング部材は、突起を挟み込むように形成された少なくとも一つの溝を備えるようにしてもよい。
【００２６】
あるいは、コネクティング部材とブロック部とを結合するために、コネクティング部材は、少なくとも一つの突起を備え、ブロック部は、突起を挟み込むように形成された少なくとも一つの溝を備えるようにしてもよい。
【００２７】
また、コネクティングピンは、外力が加えられることにより変形され、コネクティング部材と接触しなくなるようにしてもよい。
【００２８】
また、コネクティングピンは、コネクティング部材から離隔されるように弾性的に変形されるようにしてもよい。
【００２９】
また、外力は、コネクタに接続されるメイン回路基板により加えられるようにしてもよい。
【発明の効果】
【００３０】
以上説明したように本発明によれば、従来のようなショート用ブロックを設置する必要がなくなり、これによって作業工程数を削減することができ、また、コネクティングピンとメイン回路基板との接続不良を防止することができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
以下、添付された図面を参照して、本発明の好適な実施形態を詳細に説明する。
【００３３】
図３は、本発明の一実施形態によるハードディスクドライブの上部についての分離斜視図であり、図４は、図３に示したハードディスクドライブの下部についての分離斜視図である。
【００３４】
図３に示すように、本発明の一実施形態によるハードディスクドライブ１００は、互いに結合されて密閉された内部空間を形成するベース部材１０１及びカバー部材１０２を備える。そして、ベース部材１０１及びカバー部材１０２によって形成された内部空間にデータ記録媒体であるディスク１１０、スピンドルモータ１２０、ヘッドスタックアセンブリ１３０、及びボイスコイルモータ１４０が備えられる。
【００３５】
ベース部材１０１及びカバー部材１０２は、ステンレススチールまたはアルミニウム素材からなり、複数のねじにより互いに結合される。ベース部材１０１上にはディスク１１０が設置され、ディスク１１０は、一つまたは二つ以上設置される。スピンドルモータ１２０は、ディスク１１０を回転させるためのものであって、ベース部材１０１に固定されるように設置される。
【００３６】
ヘッドスタックアセンブリ１３０は、ディスク１１０にデータを記録し、またはディスク１１０からデータを再生するためのものであって、ベース部材１０１のピボット軸１０１ａを中心として回動自在に設置される。ヘッドスタックアセンブリ１３０は、ピボット軸１０１ａに取り付けられたアーム１３１、アーム１３１の自由端に結合されたサスペンション１３２、サスペンション１３２に結合されたスライダ１３３、及びスライダ１３３にデータの記録及び再生のために搭載された磁気ヘッド１３４を備える。サスペンション１３２は、スライダ１３３がディスク１１０の表面側に付勢されるように支持する。
【００３７】
ヘッドスタックアセンブリ１３０は、ベース部材１０１の一側に設置されたボイスコイルモータ１４０により駆動される。ボイスコイルモータ１４０は、ヘッドスタックアセンブリ１３０のファンテイル１３５に設けられたコイルとの相互作用により、ヘッドスタックアセンブリ１３０に回動力を提供する。詳しくは、コイルに電流が流れると、ボイスコイルモータ１４０の内部に設けられたマグネットによって形成された磁場とコイルに流れる電流との相互作用により、フレミングの左手法則による方向にヘッドスタックアセンブリ１３０が回動する。これにより、サスペンション１３２の先端に付着されたスライダ１３３が、ディスク１１０上でスピンドルモータ１２０に向かう方向や、ディスク１１０の外周に向かう方向に移動する。すなわち、ハードディスクドライブ１００が動作してディスク１１０が回転し始めると、ボイスコイルモータ１４０は、アーム１３１を回転させ、磁気ヘッドが搭載されたスライダ１３３をディスク１１０のデータ記録面上に移動させる。スライダ１３３は、ディスク１１０のデータ記録面から、回転するディスク１１０により発生する揚力とサスペンション１３２による弾性力とが平衡をなす高さに浮き上がる。かかる状態で、スライダ１３３に搭載された磁気ヘッド１３４は、ディスク１１０のデータ記録面に対してデータを再生または記録する動作を行う。逆に、ハードディスクドライブ１００の動作が停止し、ディスク１１０の回転が停止したときには、ボイスコイルモータ１４０は、アーム１３１を回転させ、磁気ヘッド１３４が搭載されたスライダ１３３をディスク１１０のデータ記録面から外れるようにする。
【００３８】
ベース部材１０１の一側のコーナには、コネクタ１７０が設けられる。コネクタ１７０は、ヘッドスタックアセンブリ１３０に連結されたフレキシブルプリントケーブル１５０と接続され、図４に示すように、ベース部材１０１を貫通してその下側に突出し、ベース部材１０１の下部に配置されるメイン回路基板１６０と接続される。すなわち、コネクタ１７０は、ヘッドスタックアセンブリ１３０とメイン回路基板１６０との間を接続させることによって、ヘッドスタックアセンブリ１３０をメイン回路基板１６０により制御可能にする。一方、メイン回路基板１６０は、ボイスコイルモータ１４０の制御に利用されることもある。メイン回路基板１６０には、図５に示すように、後述するコネクタ１７０に設けられたコネクティングピン１７４と一対一対応する端子１６１が設けられる。かかる端子１６１には、対応するコネクティングピン１７４がそれぞれ接触し、これにより、メイン回路基板１６０とコネクタ１７０とが接続される。
【００３９】
上記のようなコネクタ１７０について図６を参照して詳述すれば、次の通りである。図６に示すコネクタ１７０は、絶縁性素材で形成されたブラケット１７１、及びブラケット１７１内に設置され、導電性素材で形成されたコネクティングピン１７４を備える。ここで、絶縁性素材としては、樹脂素材が利用され、導電性素材としては、金属素材が利用されてもよい。ブラケット１７１に設置されたコネクティングピン１７４は、少なくとも一列に配列される。すなわち、コネクティングピン１７４は、第１列及び第２列の二列に並んで配列されてもよい。コネクティングピン１７４は、互いに接触されないように離隔される。このように、コネクティングピン１７４の間が物理的に完全に離隔されるようにコネクティングピン１７４の間、詳しくは、第１列をなすコネクティングピン１７４それぞれの間及び第２列をなすコネクティングピン１７４のそれぞれの間ごとに隔壁１７２がそれぞれ形成されることが望ましい。かかる隔壁１７２は、絶縁性素材であって、ブラケット１７１と一体に形成されてもよい。
【００４０】
ブラケット１７１には、コネクティングピン１７４が配列された方向に沿って延び、導電性素材で形成された共通接続部１７５が設けられる。共通接続部１７５は、コネクティングピン１７４の第１列と第２列との間に配置される。共通接続部１７５は、コネクティングピン１７４に外力が加えられる前、すなわちメイン回路基板１６０と接続される前に、コネクティングピン１７４に接触されることによって、それらの間をショートさせる。かかる共通接続部１７５は、図７に示すように、ブラケット１７１に絶縁性素材として形成されたブロック部１７３上に結合される。ブロック部１７３と共通接続部１７５とは、共通接続部１７５に形成された溝１７５ａ、及び溝１７５ａに挟まれるようにブロック部１７３に形成された突起１７３ａにより結合される。これと逆に、共通接続部１７５に突起１７３ａが形成され、ブロック部１７３に溝１７５ａが形成されて相互結合されるようにすることも可能である。
【００４１】
図７に示すように、共通接続部１７５に接触されるコネクティングピン１７４は、ブラケット１７１の内部に埋め込まれる本体部１７４ａと、ブラケット１７１から外部に露出されて力が加えられる部位であってフック状に形成されるフック部１７４ｂとを備え、フック部１７４ｂの先端を共通接続部１７５の側部に接触させる。ここで、フック部１７４ｂは、フック部１７４ｂと共通接続部１７５との間の接触面積を増大させるように、先端が湾曲した形状に形成されることが望ましい。このようなフック部１７４ｂは、メイン回路基板１６０と接続される際に外力が加えられると弾性変形され、外力が除去されると元の状態に復元されうる。かかるフック部１７４ｂは、図５に示したようにメイン回路基板１６０に端子１６１が形成された場合には、端子１６１と接触された状態を維持しつつ、ブラケット１７１内に弾性変形されるように、ブラケット１７１内から所定高さに一部突出されることが望ましい。フック部１７４ｂの形状は、図示した形状に必ずしも限定されず、前述したような機能を行えるならば、多様な形状になることが可能である。
【００４２】
前記したように、コネクティングピン１７４は、メイン回路基板１６０と接続される前、あるいはサーボトラックライト作業が行われる前に共通接続部１７５にそれぞれ接触されることによって、全てのコネクティングピン１７４がショートされるので、図１及び図２に示した従来のようなショート用ブロック１を設置する必要がなく、このため、ショート用ブロック１を除去するための追加工程も省略できる。また、ショート用ブロック１を除去する工程がなくなることにより、コネクティングピン１７４が反ってメイン回路基板１６０との接続不良が発生することを防止できる。その結果、コネクティングピン１７４とメイン回路基板１６０との間の接続性が向上する。そして、このように共通接続部１７５にそれぞれ接触されたコネクティングピン１７４は、図８に示すように、メイン回路基板１６０と接続されるときには、メイン回路基板１６０に設けられた端子１６１に接触した状態を維持しつつ弾性変形され、共通接続部１７５の側部から離隔されうる。その結果、コネクティングピン１７４は、それぞれショートされた状態が解除され、元来の機能を行える状態になる。一方、前記のように、コネクティングピン１７４が共通接続部１７５から離隔される過程で、フック部１７４ｂの先端が共通接続部１７５の側部からブロック部１７３の側部に円滑にスライドして移動されるように、ブロック部１７３の幅は、共通接続部１７５の幅と実質的に同一に形成されてもよいが、必ずしもこれに限定されない。
【００４３】
以上説明したように、コネクティングピンは、メイン回路基板と接続される前には共通接続部によって互いにショートされており、メイン回路基板と接続されると、共通接続部によってショートされた状態から解除される。したがって、従来のようなショート用ブロックを必要とせず、これによりショート用ブロックを除去するための追加な工程を省略でき、作業工程数を削減することができる。また、従来は、ショート用ブロックを除去する過程でコネクティングピンが反ってメイン回路基板との接続不良が発生するおそれが発生していたが、このような接続不良を防止することができ、コネクティングピンとメイン回路基板との接続性を向上させることができる。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、ハードディスクドライブ関連の技術分野に適用可能である。
【図面の簡単な説明】
【００４６】
【図１】従来のハードディスクドライブに設けられたコネクタの一例を示す斜視図である。
【図２】図１のコネクタにショット用ブロックが設置された状態を示す斜視図である。
【図３】本発明の一実施形態によるハードディスクドライブの上部を示す分離斜視図である。
【図４】本発明の一実施形態によるハードディスクドライブの下部を示す分離斜視図である。
【図５】図４の一部を拡大して示す部分斜視図である。
【図６】図５のコネクタについての斜視図である。
【図７】図６のコネクタについての断面図である。
【図８】図７のコネクタにメイン回路基板が接続された状態を示す断面図である。
【符号の説明】
【００４７】
１００    ハードディスクドライブ
１０１    ベース部材
１０２    カバー部材
１１０    ディスク
１２０    スピンドルモータ
１３０    ヘッドスタックアセンブリ
１４０    ボイスコイルモータ
１５０    フレキシブルプリントケーブル
１６０    メイン回路基板
１６１    端子
１７０    コネクタ
１７１    ブラケット
１７２    隔壁
１７３    ブロック部
１７４    コネクティングピン
１７５    共通接続部
【図１】
2007012614.tif 000003
【図２】
2007012614.tif 000004
【図３】
2007012614.tif 000005
【図４】
2007012614.tif 000006
【図５】
2007012614.tif 000007
【図６】
2007012614.tif 000008
【図７】
2007012614.tif 000009
【図８】
2007012614.tif 000010